(57)【特許請求の範囲】
【請求項１】
他の携帯機器と画像データを含むコンテンツデータを所定の無線通信規格に従って通信し、前記画像データに対応する画像を表示する表示部を備えた通信機器であって、
前記携帯機器と無線通信を確立するための当該通信機器の識別情報を変換した複数の画像パターンを生成し、該複数の画像パターンを前記表示部に表示させるとともに、前記識別情報を前記携帯機器に送信する制御部と、
前記表示部が表示する前記複数の画像パターンのいずれかを選択する選択信号の入力を受け付ける入力部と、
を備え、
前記制御部は、前記入力部から入力された前記選択信号に応じて選択した前記画像パターンに対応する記号を前記携帯機器との間で無線通信を確立する際に使用するパスワードとして設定することを特徴とする通信機器。
【請求項２】
前記識別情報は、複数の記号からなり、
前記制御部は、前記複数の記号を所定の数で分割して複数のグループを生成し、該複数のグループそれぞれを変換して前記複数の画像パターンを生成して前記表示部に表示させることを特徴とする請求項１に記載の通信機器。
【請求項３】
前記制御部は、前記複数の画像パターンが互いに異なることを特徴とする請求項１または２に記載の通信機器。
【請求項４】
前記制御部は、前記複数の画像パターンそれぞれをアイコンとして前記表示部に表示させることを特徴とする請求項１〜３のいずれか一つに記載の通信機器。
【請求項５】
他の携帯機器と画像データを含むコンテンツデータを所定の無線通信規格に従って通信し、前記画像データに対応する画像を表示する表示部を備えた通信機器が実行する通信方法であって、
前記携帯機器と無線通信を確立するための当該通信機器の識別情報を変換した複数の画像パターンを生成する生成ステップと、
前記複数の画像パターンを前記表示部に表示する表示ステップと、
前記表示部が表示する前記複数の画像パターンのいずれかを選択する選択信号の入力を受け付ける入力ステップと、
前記入力ステップにおいて入力された前記選択信号に応じて選択した前記画像パターンに対応する記号を前記携帯機器との間で無線通信を確立する際に使用するパスワードとして設定する設定ステップと、
前記識別情報を前記携帯機器に送信する送信ステップと、
を含むことを特徴とする通信方法。
【請求項６】
他の携帯機器と画像データを含むコンテンツデータを所定の無線通信規格に従って通信し、前記画像データに対応する画像を表示する表示部を備えた通信機器に実行させるプログラムであって、
前記携帯機器と無線通信を確立するための当該通信機器の識別情報を変換した複数の画像パターンを生成する生成ステップと、
前記画像パターンを前記表示部に表示する表示ステップと、
前記複数の画像パターンを前記表示部に表示する表示ステップと、
前記表示部が表示する前記複数の画像パターンのいずれかを選択する選択信号の入力を受け付ける入力ステップと、
前記入力ステップにおいて入力された前記選択信号に応じて選択した前記画像パターンに対応する記号を前記携帯機器との間で無線通信を確立する際に使用するパスワードとして設定する設定ステップと、
前記識別情報を前記携帯機器に送信する送信ステップと、
を含むことを特徴とするプログラム。
【発明の詳細な説明】
【技術分野】
【０００１】
本発明は、画像データを含むコンテンツデータを所定の無線通信規格に従って他の電子機器に送信する通信機器、該通信機器による通信方法およびプログラムに関する。
【背景技術】
【０００２】
従来から、カメラ付きの携帯電話等で撮像した画像データを含むコンテンツデータを、所定の無線通信規格に従って他の機器やパソコン等の外部機器に送信する技術が知られている（たとえば、特許文献１を参照）。この技術では、無線通信するために必要なデバイスアドレス情報を送信対象の機器のディスプレイ上にバーコードで表示させ、このバーコードを送信側の携帯電話のカメラによって撮像してデバイスアドレス情報を抽出することにより、特別な設定作業を行うことなく、無線通信のための設定を自動的に行う。
【先行技術文献】
【特許文献】
【０００３】
【特許文献１】特許第４１７４２０８号公報
【発明の概要】
【発明が解決しようとする課題】
【０００４】
しかしながら、上述した従来技術では、機器がバーコードを表示している際に、このバーコードが他の外部機器によって撮像されたとき、この外部機器との間で無線通信が確立することで、コンテンツデータが送信されてしまう場合があった。このため、無線通信でコンテンツデータを送信する場合、簡易な操作で無線通信を設定することができるとともに、セキュリティーに優れた無線通信を行うことができる技術が求められていた。
【０００５】
本発明は、上記に鑑みてなされたものであって、簡易な操作で他の外部機器と双方向に無線通信を設定することができるとともに、セキュリティーに優れた無線通信を行うことができる通信機器、通信方法およびプログラムを提供することを目的とする。
【課題を解決するための手段】
【０００６】
上述した課題を解決し、目的を達成するために、本発明にかかる通信機器は、他の携帯機器と画像データを含むコンテンツデータを所定の無線通信規格に従って通信し、前記画像データに対応する画像を表示する表示部を備えた通信機器であって、前記携帯機器と無線通信を確立するための当該通信機器の識別情報を変換した画像パターンを生成し、該画像パターンを前記表示部に表示させるとともに、前記識別情報を前記携帯機器に送信する制御部を備えたことを特徴とする。
【０００７】
また、本発明にかかる通信機器は、上記発明において、前記制御部は、前記画像パターンを前記携帯機器へ送信する制御を行うとともに、前記携帯機器から受信した前記画像パターンの指定された一部に基づいて、前記携帯機器との間で無線通信を確立することを特徴とする。
【０００８】
また、本発明にかかる通信機器は、上記発明において、前記識別情報は、複数の記号からなり、前記制御部は、前記複数の記号を所定の数で分割して複数のグループを生成し、該複数のグループそれぞれを変換して複数の画像パターンを生成して前記表示部に表示させることを特徴とする。
【０００９】
また、本発明にかかる通信機器は、上記発明において、前記表示部が表示する前記複数の画像パターンのいずれかを選択する選択信号の入力を受け付ける入力部をさらに備え、前記制御部は、前記入力部から入力された前記選択信号に応じて選択した前記画像パターンに対応する記号を前記携帯機器との間で無線通信を確立する際に使用するパスワードとして設定することを特徴とする。
【００１０】
また、本発明にかかる通信機器は、上記発明において、前記制御部は、前記複数の画像パターンが互いに異なることを特徴とする。
【００１１】
また、本発明にかかる通信機器は、上記発明において、前記制御部は、前記画像パターンをアイコンとして前記表示部に表示させることを特徴とする。
【００１２】
また、本発明にかかる通信機器は、上記発明において、前記制御部は、外部から入力される前記表示部の位置を指示する指示信号に応じて前記表示部に表示可能な作成画像を生成し、該作成画像を変換することにより、前記携帯機器との間で無線通信を確立するための当該通信機器の識別情報および該識別情報に対応するパスワードを設定することを特徴とする。
【００１３】
また、本発明にかかる通信方法は、他の携帯機器と画像データを含むコンテンツデータを所定の無線通信規格に従って通信し、前記画像データに対応する画像を表示する表示部を備えた通信機器が実行する通信方法であって、前記携帯機器と無線通信を確立するための当該通信機器の識別情報を変換した画像パターンを生成する生成ステップと、前記画像パターンを前記表示部に表示する表示ステップと、前記識別情報を前記携帯機器に送信する送信ステップと、を含むことを特徴とする。
【００１４】
また、本発明にかかるプログラムは、他の携帯機器と画像データを含むコンテンツデータを所定の無線通信規格に従って通信し、前記画像データに対応する画像を表示する表示部を備えた通信機器に実行させるプログラムであって、前記携帯機器と無線通信を確立するための当該通信機器の識別情報を変換した画像パターンを生成する生成ステップと、前記画像パターンを前記表示部に表示する表示ステップと、前記識別情報を前記携帯機器に送信する送信ステップと、を含むことを特徴とする。
【発明の効果】
【００１５】
本発明によれば、制御部が携帯機器と通信機器を確立するための通信機器の識別情報を変換した画像パターンを生成し、この画像パターンを表示部に表示させるとともに、通信機器の識別情報を携帯機器に送信するので、簡易な操作で他の外部機器と双方向に無線通信を設定することができるとともに、セキュリティーに優れた無線通信を行うことができるという効果を奏する。
【図面の簡単な説明】
【００１６】
【図１】図１は、本発明の実施の形態１にかかる通信機器および携帯機器の構成を示すブロック図である。
【図２】図２は、本発明の実施の形態１にかかる通信機器の画像化部が通信機器の識別情報を変換して画像パターンを生成する生成方法を模式的に説明する図である。
【図３】図３は、本発明の実施の形態１にかかる通信機器および携帯機器が実行する通信処理の概要を説明する図である。
【図４】図４は、図３の状況を模式的に説明する図である。
【図５】図５は、本発明の実施の形態１にかかる通信機器および携帯機器が無線通信の確立を行う際の状況を説明する図である。
【図６】図６は、本発明の実施の形態１にかかる通信機器が実行する処理の概要を説明するフローチャートである。
【図７】図７は、本発明の実施の形態１にかかる通信機器の画像化部が生成する別の画像パターンの一例を示す図である。
【図８】図８は、本発明の実施の形態１にかかる通信機器の表示制御部が表示部に画像パターンを表示させる際の別の表示方法の一例を示す図である。
【図９Ａ】図９Ａは、本発明の実施の形態２にかかる通信機器の識別情報およびパスワードの設定方法を模式的に説明する図である。
【図９Ｂ】図９Ｂは、本発明の実施の形態２にかかる通信機器の識別情報およびパスワードの設定方法を模式的に説明する図である。
【図９Ｃ】図９Ｃは、本発明の実施の形態２にかかる通信機器の識別情報およびパスワードの設定方法を模式的に説明する図である。
【図９Ｄ】図９Ｄは、本発明の実施の形態２にかかる通信機器の識別情報およびパスワードの設定方法を模式的に説明する図である。
【図１０】図１０は、本発明の実施の形態２にかかる通信機器および携帯機器が実行する通信処理の概要を説明する図である。
【図１１】図１１は、図１０の状況を模式的に説明する図である。
【図１２】図１２は、本発明の実施の形態２にかかる通信機器および携帯機器が無線通信の確立を行う際の状況を説明する図である。
【図１３】図１３は、本発明の実施の形態２にかかる通信機器が実行する処理の概要を説明するフローチャートである。
【図１４Ａ】図１４Ａは、本発明の実施の形態２の変形例にかかる通信機器の識別情報およびパスワードの設定方法を模式的に説明する図である。
【図１４Ｂ】図１４Ｂは、本発明の実施の形態２の変形例にかかる通信機器の識別情報およびパスワードの設定方法を模式的に説明する図である。
【図１４Ｃ】図１４Ｃは、本発明の実施の形態２の変形例にかかる通信機器の識別情報およびパスワードの設定方法を模式的に説明する図である。
【図１５】図１５は、本発明の実施の形態２の変形例にかかる通信機器が実行する処理の概要を示すフローチャートである。
【発明を実施するための形態】
【００１７】
以下に、図面を参照して、本発明を実施するための形態（以下、「実施の形態」という）について説明する。なお、この実施の形態によって本発明が限定されるものではない。また、図面の記載において、同一の部分には同一の符号を付して説明する。
【００１８】
（実施の形態１）
図１は、本発明の実施の形態１にかかる通信機器および携帯機器の構成を示すブロック図である。図１に示す通信機器１および携帯機器２は、所定の無線通信規格に従って画像データおよび音声データ等を含むコンテンツデータを双方向に通信可能である。ここで、所定の無線通信規格は、ＩＥＥＥ８０２．１１ｂ、ＩＥＥＥ８０２．１１ｎ、Ｂｌｕｅｔｏｏｔｈ（登録商標）および赤外線通信規格等である。なお、本実施の形態１では、いずれの無線通信規格であっても適用可能である。
【００１９】
まず、通信機器１について説明する。通信機器１は、所定の視野領域を撮像して画像データを生成するデジタルカメラ等の撮像装置を用いて構成される。通信機器１は、撮像部１１と、入力部１２と、表示部１３と、タッチパネル１４と、記録部１５と、送受信部１６と、音声入出部１７と、通信機器制御部１８と、を備える。
【００２０】
撮像部１１は、一または複数のレンズによって構成され、所定の視野領域からの光を集光する光学系と、光学系が集光した光の入射量を調整する絞りと、レリーズ信号の入力に応じて動作するシャッタと、絞りおよびシャッタを透過した光を受光して電気信号に変換するＣＣＤ（Charge  Coupled  Device）またはＣＭＯＳ（Complementary  Metal  Oxide  Semiconductor）の撮像素子と、撮像素子から出力されるアナログ信号に対してノイズ低減処理やゲインアップ処理等のアナログ処理を施してＡ／Ｄ変換を行って通信機器制御部１８に出力する信号処理部と、を有する。
【００２１】
入力部１２は、通信機器１の電源オンや電源オフの指示信号の入力を受け付ける電源スイッチと、通信機器１に撮影を指示するレリーズ信号の入力を受け付けるレリーズスイッチと、通信機器の各種モードの切り替えを指示する切替信号の入力を受け付ける切替スイッチと、通信機器１の各種パラメータの設定を切り替える操作信号の入力を受け付ける操作スイッチと、を有する。
【００２２】
表示部１３は、液晶または有機ＥＬ（Electro  Luminescence）等からなる表示パネルを用いて構成される。表示部１３は、記録部１５に記録された画像データに対応する画像を表示する。ここで、画像の表示には、撮影直後の画像データを所定時間（たとえば３秒間）だけ表示するレックビュー表示、記録部１５に記録された画像データを再生する再生表示、および撮像部１１が連続的に生成する画像データに対応するライブビュー画像を時系列に沿って順次表示するライブビュー画像表示等が含まれる。また、表示部１３は、通信機器１の操作情報および撮影に関する情報、たとえば露出値や絞り値等を適宜表示する。
【００２３】
タッチパネル１４は、表示部１３の表示画面上に設けられる。タッチパネル１４は、外部からの物体のタッチを検出し、この検出したタッチ位置に応じた位置信号を通信機器制御部１８に出力する。一般に、タッチパネル１４としては、抵抗膜方式、静電容量方式および光学方式等がある。本実施の形態１では、いずれの方式のタッチパネルであっても適用可能である。
【００２４】
記録部１５は、ＦｌａｓｈメモリやＤＲＡＭ（Dynamic  Random  Access  Memory）等の半導体メモリを用いて構成される。記録部１５は、通信機器１を動作させるための各種プログラムおよびプログラムの実行中に使用される各種データやパラメータ等を記録する。記録部１５は、携帯機器２と無線通信を確立するための通信機器１の識別情報（機器ＩＤ、ＭＡＣアドレスまたはＳＳＩＤ）、この識別情報に対応するパスワードを含む設定情報を記録する設定情報記録部１５１と、撮像部１１が生成した画像データや音声データを含むコンテンツデータを記録するコンテンツ情報記録部１５２と、通信機器制御部１８が識別情報を変換して画像パターンを生成する際の画像データやアイコンを記録する画像化情報記録部１５３と、を有する。ここで、識別情報とは、無線ＬＡＮにおけるアクセルポイントの識別子であり、最大３２の記号が任意に設定されたものである。また、記号とは、数字、図形および文字である。なお、記録部１５に対し、通信機器１の外部から装着されるメモリカード等の記録媒体に対して情報を記録する一方、記録媒体が記録する情報を読み出す記録媒体インターフェースとしての機能を具備させてもよい。
【００２５】
送受信部１６は、所定の無線通信規格に従って、携帯機器２と無線通信を行ってコンテンツデータを携帯機器２に送信可能であるとともに、携帯機器２から無線通信を確立するための通信機器１の識別情報に対応するパスワードを受信する。送受信部１６は、携帯機器２と無線通信を行ってコンテンツデータや各種情報を双方向に通信を行うための通信デバイスを用いて構成される。通信デバイスは、他の機器との間で電波信号を送受信するアンテナと、アンテナが受信した信号を復調処理するとともに、送信する信号を変調処理する送受信回路等で構成される。送受信部１６は、通信機器１の起動時において、その存在を報知する識別情報を含む通信信号を定期的に送信するとともに、携帯機器２または他の機器から送信された通信信号を受信して停止状態または待機状態から復帰し、携帯機器２または他の機器との間で通信を確立する。なお、送受信部１６は、通信機器１の外部から装着されるメモリカード等の記録媒体に設けられてもよい。
【００２６】
音声入出力部１７は、マイクおよびスピーカ等を用いて構成される。音声入出力部１７は、音声データの取得を行って通信機器制御部１８に出力する。音声入出力部１７は、記録部１５に記録されたコンテンツデータの音声データを再生して出力する。
【００２７】
通信機器制御部１８は、ＣＰＵ（Central  Processing  Unit）等を用いて構成される。通信機器制御部１８は、入力部１２やタッチパネル１４からの指示信号および切替信号等に応じて通信機器１を構成する各部に対応する指示やデータの転送等を行って通信機器１の動作を統括的に制御する。通信機器制御部１８は、携帯機器２と無線通信を確立するための通信機器１の識別情報を変換した画像パターンを生成し、この画像パターンを表示部１３に表示させるとともに、通信機器１の識別情報を携帯機器２に送信する。
【００２８】
通信機器制御部１８の詳細な構成について説明する。通信機器制御部１８は、画像処理部１８１と、画像化部１８２と、設定部１８３と、パスワード判定部１８４と、送信制御部１８５と、表示制御部１８６と、を有する。
【００２９】
画像処理部１８１は、画像エンジン（画像コントローラ）を用いて構成され、撮像部１１から入力される画像データに対して各種の画像処理を施して記録部１５または表示部１３に出力する。画像処理部１８１は、画像データに対して、少なくとも画像の明るさを調整するゲイン処理、階調を補正する階調補正処理、エッジ処理、ホワイトバランス処理、色補正処理およびγ補正処理を含む画像処理を行う。画像処理部１８１は、ＪＰＥＧ（Joint  Photographic  Experts  Group）方式に従って画像データを圧縮し、圧縮した画像データを記録部１５に記録させてもよい。
【００３０】
画像化部１８２は、設定情報記録部１５１が記録する通信機器１の識別情報を変換した画像パターンを生成する。具体的には、画像化部１８２は、画像化情報記録部１５３が記録する画像化情報を参照して、通信機器１の識別情報を所定の数で分割してグループ化を行い、各グループの数や種類に対応する画像パターンを複数のアイコンとして生成する。たとえば、画像化部１８２は、通信機器１の識別情報が３２文字の英数字で構成されている場合、あまりに多くの選択肢を増やして選択困難なグループ数にならないように一例として８文字毎に分割して４グループ化を行い、この４グループそれぞれを構成する文字数や種類に応じて画像パターンのアイコンを生成する。もちろん、画像化部１８２は、通信機器１の識別情報を１０分割くらいにしてもよいが、多すぎると個々の画像としてのアイコンが小さくなって視認性が悪くなったり、ユーザによる選択に時間がかかったりするが、反対に少なくして、例えば２分割ではセキュリティー上の危険度が増す。
【００３１】
設定部１８３は、入力部１２またはタッチパネル１４を介して表示部１３が表示する複数の画像パターンのいずれかが選択された場合、選択された画像パターンに対応付する記号を通信機器１と無線通信を確立する際に使用するためのパスワードとして設定する。つまり、一度画像化した情報は、本来の記号から変更されているので、自由に分かりやすく直感的に使うことができ、これを別の用途にも有効活用する。具体的には、設定部１８３は、通信機器１と無線通信を確立してコンテンツデータの送信を許可するためのパスワードを設定する。ユーザは、送信側も受信側も、これをパスワード設定の操作と意識せず、単に画像を選んでいるだけに感じるので、難しい利用時の心理的障壁を取り除くことが出来る。
【００３２】
パスワード判定部１８４は、送受信部１６を介して携帯機器２から受信したパスワードと設定部１８３が設定したパスワードとが一致するか否かを判定する。この場合、実際には、ユーザは、同じ画像（アイコン）を選んだ操作しか意識していないので、誰にでも可能で、かつ、口頭での交渉を介しているため、セキュリティー性の高い通信確立が出来ることとなる。また、画像化により、この口頭での交渉を容易にしている。つまり、その通信やコミュニケーションの状況に最も適した表示に変換されていると言える。声での指示であると、ささやき声などで、人間が状況に応じてセキュリティーレベルを制御できるし、使用言語を変えたり暗号を使ったり、自由な伝達方法を、好みや必要に応じて選ぶことができる。
【００３３】
送信制御部１８５は、パスワード判定部１８４が送受信部１６によって携帯機器２から受信したパスワードと設定部１８３によって設定されたパスワードとが一致すると判定した場合、携帯機器２と無線通信を確立してコンテンツデータの携帯機器２への送信を送受信部１６に実行させる。
【００３４】
表示制御部１８６は、画像データに対応する画像を表示部１３に表示させる。表示制御部１８６は、画像化部１８２が通信機器１の識別情報を変換して生成した画像パターンを表示部１３に表示させる。
【００３５】
このように構成された通信機器１に対して、インターネットを介してパーソナルコンピュータ（図示せず）と双方向に通信可能な通信機器を具備させてもよい。
【００３６】
つぎに、携帯機器２について説明する。携帯機器２は、ネットワークや外部の通信局と双方向に無線通信を行う多機能型の携帯電話等を用いて構成される。携帯機器２は、撮像部２１と、送受信部２２と、音声入出力部２３と、地磁気検出部２４と、入力部２５と、表示部２６と、タッチパネル２７と、記録部２８と、通信部２９と、携帯制御部３０と、を備える。撮像部２１、送受信部２２、音声入出力部２３、入力部２５、表示部２６、タッチパネル２７および記録部２８は、通信機器１の撮像部１１、送受信部１６、音声入出力部１７、入力部１２、表示部１３、タッチパネル１４および記録部１５それぞれと同様の構成を有するため、説明を省略する。
【００３７】
地磁気検出部２４は、磁気方位センサを用いて構成され、携帯機器２に予め設定された指定方位を検出する。具体的には、地磁気検出部２４は、表示部２６を水平状態にした際の地磁気の垂直方向と水平方向の成分を検出することにより、表示部２６の表示画面の中心から上方に向う方向を基準方位としたときの携帯機器２の方位を検出する。
【００３８】
通信部２９は、ネットワークを介して外部の機器、たとえば他の携帯機器またはパーソナルコンピュータ等と双方向に通信を行うための通信インターフェースである。
【００３９】
携帯制御部３０は、ＣＰＵ等を用いて構成される。携帯制御部３０は、入力部２５やタッチパネル２７からの指示信号や切替信号等に応じて携帯機器２を構成する各部に対応する指示やデータの転送等を行って携帯機器２の動作を統括的に制御する。携帯制御部３０は、通信機器１から通信機器１の識別情報を受信した場合、受信した識別情報を変換した画像パターンを生成し、この画像パターンを表示部２６に表示させる。
【００４０】
携帯制御部３０の詳細な構成について説明する。携帯制御部３０は、画像処理部３０１と、画像化部３０２と、設定部３０３と、パスワード判定部３０４と、送信制御部３０５と、表示制御部３０６と、を有する。
【００４１】
画像処理部３０１は、画像エンジンを用いて構成され、撮像部２１から入力される画像データに対して各種の画像処理を施して記録部２８または表示部２６に出力する。画像処理部３０１は、画像データに対して、少なくとも画像の明るさを調整するゲイン処理、階調を補正する階調補正処理、エッジ処理、ホワイトバランス処理、色補正処理およびγ補正処理を含む画像処理を行う。画像処理部３０１は、ＪＰＥＧ方式に従って画像データを圧縮し、圧縮した画像データを記録部２８に記録させてもよい。
【００４２】
画像化部３０２は、設定情報記録部２８１が記録する携帯機器２の識別情報を変換した画像パターンを生成する。また、画像化部３０２は、画像化情報記録部２８３が記録する画像化情報を参照して、送受信部２２を介して通信機器１から受信した識別情報を変換して画像パターンを生成する。画像化部３０２は、識別情報を構成する複数の記号を所定の数ごとに分割してグループ化を行い、各グループの記号の種類および数に応じた画像パターンのアイコンを複数生成する。
【００４３】
設定部３０３は、入力部２５またはタッチパネル２７を介して表示部２６が表示する複数の画像パターンのいずれかが選択された場合、選択された画像パターンに対応付する記号を携帯機器２と無線通信を確立するためのパスワードとして設定する。
【００４４】
パスワード判定部３０４は、送受信部２２を介して通信機器１から送信されたパスワードと設定部３０３が設定したパスワードとが一致するか否かを判定する。
【００４５】
送信制御部３０５は、パスワード判定部３０４が送受信部２２によって通信機器１から受信したパスワードと設定部３０３によって設定されたパスワードとが一致すると判定した場合、通信機器１と無線通信を確立してコンテンツデータの通信機器１への送信を送受信部２２に実行させる。
【００４６】
表示制御部３０６は、画像データに対応する画像を表示部２６に表示させる。表示制御部３０６は、画像化部３０２が通信機器１の識別情報を変換して生成した画像パターンを表示部２６に表示させる。
【００４７】
このように構成された携帯機器２に対して、所定の視野領域に向けて補助光を照射するフラッシュ機構を設けてもよい。
【００４８】
つぎに、上述した通信機器１の画像化部１８２が通信機器１の識別情報を変換して画像パターンを生成する生成方法について説明する。図２は、通信機器１の画像化部１８２が通信機器１の識別情報を変換して画像パターンを生成する生成方法を模式的に説明する図である。なお、以下において、通信機器１の識別情報を英数字の３２文字で構成されている場合について説明するが、３２文字で限定されることなく、無線通信規格に応じて適宜変更することができ、たとえば８文字や３２文字以上であっても適用することができる。
【００４９】
図２に示すように、画像化部１８２は、通信機器１の識別情報を所定の文字数でそれぞれグループ化を行い、このグループ毎に含まれる文字の数および種類に応じた画像パターンを、画像化情報記録部１５３が記録する画像化情報を参照して生成する。具体的には、画像化部１８２は、通信機器１の識別情報が３２文字で構成されている場合、３２文字を８文字毎に４つのグループに分け、各グループに含まれる文字の種類に応じたアイコンを生成する。たとえば、図２に示すように、画像化部１８２は、識別情報がＡ〜Ｚおよび１〜６の順番で３２文字が構成されている場合、グループＧ１にＡＥＩＭＱＵＹ３を振り分け、このグループＧ１に対応する画像パターンとしてネズミが写るアイコンＡ１を生成する。さらに、画像化部１８２は、グループＧ２をウシが写るアイコンＡ２として生成し、グループＧ３をトラが写るアイコンＡ３として生成し、グループＧ４をうさぎが写るアイコンＡ４として生成する。なお、図２では、先頭から順に文字を各グループに振り分けていたが、たとえば２文字毎に各グループに振り分けてもよい。ここで、画像化する方法は、特定の法則で、送信側、受信側で共通に利用できるものなら何でもよい。
【００５０】
このように、画像化部１８２は、通信機器１の識別情報をユーザが直感的に把握することができる画像パターンとしてアイコンに変換する。
【００５１】
図３は、上述した通信機器１および携帯機器２が実行する通信処理の概要を説明する図である。図４は、図３の状況を模式的に説明する図である。なお、図３および図４では、通信機器１が記録部１５に記録されたコンテンツデータを再生して表示する再生モードに設定され、携帯機器２が通信機器１からコンテンツデータを受信する受信モードに設定されている。
【００５２】
図３に示すように、通信機器１は、所定の無線通信規格に従って、携帯機器２と無線通信を行ってコンテンツデータを送信する場合において、携帯機器２に対して通信機器１の識別情報を送信し、この識別情報に対応するパスワードを携帯機器２から受信したとき、携帯機器２と無線通信を確立してコンテンツデータを送信する。本実施の形態１では、図３および図４に示すように、ユーザＯ１がユーザＯ２に対して、携帯機器２で「トラ」と伝え、ユーＯ２が携帯機器２のタッチパネル２７を介してトラのアイコンＡ３を選択した場合、通信機器１は、携帯機器２から送信されたアイコンＡ３に対応付けられたパスワードを受信し、このパスワードと設定部１８３が設定したパスワードとが一致するとき、携帯機器２との間で無線通信を確立してコンテンツデータを送信する。
【００５３】
図５は、通信機器１および携帯機器２が無線通信の確立を行う際の状況を説明する図である。
【００５４】
図５に示すように、通信機器１は、画像化部１８２が通信機器１の識別情報を変換した画像パターンのアイコンＡ１〜Ａ４を生成し、表示制御部１８６が画像化部１８２によって生成されたアイコンＡ１〜Ａ４を表示部１３に表示させる（図５（ａ））。
【００５５】
続いて、通信機器１は、所定の範囲内に存在する携帯機器２に対して識別情報を送受信部１６に送信させる（図５（ｂ））。これにより、携帯機器２は、通信機器１の存在を把握することができる。
【００５６】
その後、携帯機器２は、画像化部３０２が通信機器１から受信した識別情報を変換して画像パターンのアイコンＡ１〜Ａ４を生成し、表示制御部３０６が画像化部３０２によって生成されたアイコンＡ１〜Ａ４を表示部２６に表示させる（図５（ｃ））。
【００５７】
続いて、通信機器１は、ユーザＯ１がタッチパネル１４を介して表示部１３が表示するアイコンＡ１〜Ａ４の中からいずれかが選択された場合、たとえばトラが写るアイコンＡ３が選択された場合、設定部１８３は、アイコンＡ３に対応付けられた文字の種類、数および順番を通信機器１と無線通信を確定するためのパスワードとして設定する（図５（ｄ））。この際、表示制御部１８６は、選択されたアイコンを強調表示、たとえばハイライト表示または選択されたアイコンのみを表示部１３に表示させてもよい。
【００５８】
その後、携帯機器２は、ユーザＯ２がタッチパネル２７を介して表示部２６によって表示されているアイコンＡ１〜Ａ４のいずれかを選択した場合、送信制御部３０５がユーザＯ２によって選択されたアイコンに対応付けられた文字を通信機器１へ送信する（図５（ｅ））。
【００５９】
続いて、通信機器１は、パスワード判定部１８４が携帯機器２から受信したパスワードと設定部１８３が設定したパスワードとが一致すると判定した場合、送信制御部１８５が携帯機器２と無線通信を確立してコンテンツデータを送受信部１６に送信させる。
【００６０】
このように、携帯機器２のユーザＯ２は、通信機器１のユーザＯ１によって指定されたアイコンを選択するだけで、通信機器１と無線通信を確立してコンテンツデータを携帯機器２で受信することができるので、簡易な操作で無線通信を確立することができるとともに、セキュリティーに優れる。
【００６１】
通信の確立の技術は、一般的に識別情報（機器ＩＤ）の選択と、この識別情報に対応するパスワードの返信によってネゴシエーションを図ることによって行われているが、本実施の形態１においては、識別情報（機器ＩＤ）の選択後、無線通信を確立するパスワードの設定時に上述した通信確立を行えばよい。つまり双方（あるいは１対多）のユーザが、人間同士で直接行った契約に基づいた、即席パスワードを単純な動作（ここではアイコンの選択）に落とし込んで認証したものとなる。通信機器１または携帯機器２は、規定のパスワードのルールに変換するので、様々な通信規格に簡単に合致させることが出来る。この時、識別情報（機器ＩＤ）の選択動作を行った後、この動作認証に入るので、セキュリティーを高くしてなりすましなどを防止することが可能となる。また、画像を仲立ちさせることによって、通信機器１同士の記号やテキストでの抽象的なやり取りを、より具体的に口頭指示、あるいは聴いて理解しやすい、もしくは、指さし指示、あるいは一見しての確認容易な、人間同士のコミュニケーションに適合した形式に変換することを可能としている。一見しての確認は、セキュリティー上好ましくないが、画像（アイコン）が小さかったり、一部分の指示だったりすると、のぞき見程度では分かりにくい操作にすることが可能である。声での指示であると、ささやき声などで、人間が状況に応じてセキュリティーレベルを制御できるし、使用言語を変えたり暗号を使ったり、自由な伝達方法を、好みや必要に応じて選ぶことができる。指さし確認を使えば、耳の不自由な人にも利用できるが、このような指さし操作にも、画像利用が有効である。
【００６２】
つぎに、通信機器１が実行する処理の概要について説明する。図６は、通信機器１が実行する処理の概要を説明するフローチャートである。なお、図６に示すフローチャートは、携帯機器２も同様に行うことができる。
【００６３】
図６に示すように、通信機器１が撮影モードに設定されている場合（ステップＳ１０１：Ｙｅｓ）について説明する。この場合、通信機器１は、撮像を開始し（ステップＳ１０２）、表示制御部１８６は、撮像部１１によって撮像されたライブビュー画像を表示部１３に表示させる（ステップＳ１０３）。
【００６４】
続いて、入力部１２を介してレリーズ信号が入力された場合（ステップＳ１０４：Ｙｅｓ）、通信機器１は、撮影を実行する（ステップＳ１０５）。具体的には、通信機器１は、撮像部１１に撮影動作を実行させることにより、画像データを生成させ、この画像データに対して画像処理部１８１に画像処理を施させて記録部１５に記録する処理を実行する。これに対して、入力部１２を介してレリーズ信号が入力されていない場合（ステップＳ１０４：Ｎｏ）、通信機器１は、ステップＳ１０６へ移行する。
【００６５】
その後、通信機器制御部１８は、通信機器１の電源がオフ状態または通信機器１が待機状態になることにより、通信機器１の撮影動作または再生動作が終了したか否かを判断する（ステップＳ１０６）。通信機器１の撮影動作または再生動作が終了したと通信機器制御部１８が判断した場合（ステップＳ１０６：Ｙｅｓ）、通信機器１は、本処理を終了する。これに対して、通信機器１の撮影動作または再生動作が終了していないと通信機器制御部１８が判断した場合（ステップＳ１０６：Ｎｏ）、通信機器１は、ステップＳ１０１へ戻る。
【００６６】
つぎに、通信機器１が撮影モードに設定されておらず（ステップＳ１０１：Ｎｏ）、通信機器１が再生モードに設定されている場合（ステップＳ１０７：Ｙｅａ）について説明する。この場合、表示制御部１８６は、記録部１５が記録する複数の画像データにそれぞれ対応する画像（サムネイル画像）を表示部１３に一覧表示させる（ステップＳ１０８）。
【００６７】
続いて、一覧表示された画像から拡大して再生する再生画像が選択された場合（ステップＳ１０９：Ｙｅｓ）、表示制御部１８６は、選択された画像を拡大して再生（全画面表示）する（ステップＳ１１０）。これに対して、所定時間内に一覧表示された画像から拡大して再生する再生画像が選択されていない場合（ステップＳ１０９：Ｎｏ）、通信機器１は、ステップＳ１０６へ移行する。
【００６８】
ステップＳ１１１において、通信機器制御部１８は、表示部１３が表示する画像データを他の外部機器、たとえば携帯機器２に送信する送信モードに通信機器１が設定されているか否かを判断する。具体的には、通信機器制御部１８は、表示部１３が再生画像を表示している場合において、タッチパネル１４がタッチされたとき、通信機器１が送信モードに設定されたと判断する。送信モードに通信機器１が設定されていると通信機器制御部１８が判断した場合（ステップＳ１１１：Ｙｅｓ）、通信機器１は、後述するステップＳ１１２へ移行する。これに対して、送信モードに通信機器１が設定されていないと通信機器制御部１８が判断した場合（ステップＳ１１１：Ｎｏ）、通信機器１は、ステップＳ１０６へ移行する。
【００６９】
ステップＳ１１２において、画像化部１８２は、画像化情報記録部１５３が記録する画像化情報を参照して、通信機器１の識別情報を構成する文字を変換した複数の画像パターンにそれぞれ対応するアイコンを生成する。
【００７０】
続いて、表示制御部１８６は、画像化部１８２が生成した複数の画像パターンにそれぞれ対応するアイコンを表示部１３に表示させる（ステップＳ１１３）。
【００７１】
その後、送信制御部１８５は、外部に向けて通信機器１の識別情報を送受信部１６に送信させる（ステップＳ１１４）。
【００７２】
続いて、タッチパネル１４を介して表示部１３が表示する複数のアイコンのいずれかがタッチされた場合（ステップＳ１１５：Ｙｅｓ）、設定部１８３は、アイコンに対応付けられた文字を携帯機器２と無線通信を確立するためのパスワードとして設定する（ステップＳ１１６）。その後、通信機器１は、後述するステップＳ１１７へ移行する。これに対して、所定の時間（たとえば５秒）以内にタッチパネル１４を介して表示部１３が表示する複数のアイコンのいずれもタッチされていない場合（ステップＳ１１５：Ｎｏ）、通信機器１は、ステップＳ１０６へ移行する。この際、表示制御部１８６は、表示部１３にパスワードを設定する旨の警告を表示部１３に表示させてもよい。
【００７３】
ステップＳ１１７において、パスワード判定部１８４は、送受信部１６が外部の機器、たとえば携帯機器２から受信したパスワードと設定部１８３が設定したパスワードとが一致するか否かを判定する。送受信部１６が携帯機器２から受信したパスワードと設定部１８３が設定したパスワードとが一致するとパスワード判定部１８４が判定した場合（ステップＳ１１７：Ｙｅｓ）、送信制御部１８５は、コンテンツデータの携帯機器２への送信を送受信部１６に実行させる（ステップＳ１１８）。その後、通信機器１は、ステップＳ１０６へ移行する。
【００７４】
これに対して、送受信部１６が携帯機器２から受信したパスワードと設定部１８３が設定したパスワードとが一致しないとパスワード判定部１８４が判定した場合（ステップＳ１１７：Ｎｏ）、通信機器１は、ステップＳ１０６へ移行する。この際、表示制御部１８６は、パスワードが異なる旨の警告を表示部１３に表示させてもよい。
【００７５】
つぎに、ステップＳ１０７において、再生モードに設定されておらず（ステップＳ１０７：Ｎｏ）、受信モードに設定されている場合（ステップＳ１１９：Ｙｅｓ）について説明する。この場合、通信機器制御部１８は、携帯機器２から携帯機器２の識別情報を受信したか否かを判断する（ステップＳ１２０）。携帯機器２から携帯機器２の識別情報を受信したと通信機器制御部１８が判断した場合（ステップＳ１２０：Ｙｅｓ）、通信機器１は、後述するステップＳ１２１へ移行する。これに対して、携帯機器２から携帯機器２の識別情報を受信していないと通信機器制御部１８が判断した場合（ステップＳ１２０：Ｎｏ）、通信機器１は、ステップＳ１０６へ移行する。
【００７６】
ステップＳ１２１において、画像化部１８２は、画像化情報記録部１５３が記録する画像化情報を参照して、送受信部１６が携帯機器２から受信した携帯機器２の識別情報を変換した複数の画像パターンにそれぞれ対応するアイコンを生成する。
【００７７】
続いて、表示制御部１８６は、画像化部１８２が生成した複数の画像パターンにそれぞれ対応するアイコンを表示部１３に表示させる（ステップＳ１２２）。
【００７８】
その後、通信機器制御部１８は、タッチパネル１４を介して表示部１３が表示する複数のアイコンのいずれかがタッチされた場合（ステップＳ１２３：Ｙｅｓ）、設定部１８３は、アイコンに対応付けられた文字を携帯機器２と無線通信を確立するためのパスワードとして設定する（ステップＳ１２４）。その後、通信機器１は、後述するステップＳ１２５へ移行する。これに対して、所定の時間内にタッチパネル１４を介して表示部１３が表示する複数のアイコンのいずれもタッチされていない場合（ステップＳ１２３：Ｎｏ）、通信機器１は、ステップＳ１０６へ移行する。
【００７９】
ステップＳ１２５において、送信制御部１８５は、携帯機器２に対して設定部１８３が設定したパスワードを送受信部１６に送信させる。
【００８０】
続いて、通信機器制御部１８は、携帯機器２からコンテンツデータを受信したか否かを判断する（ステップＳ１２６）。携帯機器２からコンテンツデータを受信したと通信機器制御部１８が判断した場合（ステップＳ１２６：Ｙｅｓ）、表示制御部１８６は、受信したコンテンツデータに対応する画像を表示部１３に表示させる（ステップＳ１２７）。この際、通信機器制御部１８は、コンテンツデータが音声データの場合、音声入出力部１７に出力させる。その後、通信機器１は、ステップＳ１０６へ移行する。これに対して、携帯機器２からコンテンツデータを受信していないと通信機器制御部１８が判断した場合（ステップＳ１２６：Ｎｏ）、通信機器１は、ステップＳ１０６へ移行する。この際、表示制御部１８６は、携帯機器２の識別情報に対応するパスワードが異なる旨の警告を表示部１３に表示させてもよい。
【００８１】
ステップＳ１１９において、通信機器１が受信モードに設定されていない場合（ステップＳ１１９：Ｎｏ）、通信機器１は、ステップＳ１０６へ移行する。
【００８２】
以上説明した本発明の実施の形態１によれば、通信機器制御部１８が携帯機器２と通信機器１との無線通信を確立するための通信機器１の識別情報を変換した画像パターンを生成し、この画像パターンを表示部１３に表示させるとともに、通信機器１の識別情報を携帯機器２に送信するので、簡易な操作で他の外部機器と双方向に無線通信を設定することができるとともに、セキュリティーに優れた無線通信を行うことができるという効果を奏する。
【００８３】
さらに、本実施の形態１によれば、多くの通信規格で利用される機器ＩＤ（識別情報）とパスワードによる通信確立に簡単に応用でき、機器のＩＤを簡単に取得しながら、ユーザ同士のその場の約束で自由自在にコンテンツデータを送信するためのパスワードを設定することができ、セキュリティーを高めることが可能となる。
【００８４】
また、本実施の形態１によれば、タッチパネル１４またはタッチパネル２７上で通信確立用のアイコン選択の自由度を高めて、バラエティをその場で変更したりして増やし、状況に応じたアイコンを選択でき、極力、無線通信を確立するための動作を単純化してセキュリティーを高めることが可能である。同様に様々な通信規格に準拠させることが出来、数多くの機器が通信候補になっている時に、通信したい機器を選ぶようなプロセスを飛ばすこと、または意識させないようにすることが出来、より簡単な動作での通信確立が可能となる。この通信確立は、その場でのコミュニケーションに従って、様々な自由度で選択できることが出来、セキュリティーを高めることが出来る。この自由度は、タッチパネル１４の２次元的な空間に指などを動かした過程によって、数多くのバリエーションとすることが出来る。このコミュニケーションが声での指示であると、ささやき声などで、人間が状況に応じてセキュリティーレベルを制御できるし、使用言語を変えたり暗号を使ったり、自由な伝達方法を、好みや必要に応じて選ぶことができる。
【００８５】
また、本実施の形態１によれば、タッチパネル１４上におけるタッチやスライドなどの動作は、限られた面積のパネル上でなされる動作であるから、誰にでも簡単に操作が可能である。また、その場で見ながらアイコンをタッチすればよいので、アイコンや画像のみならず、好きな記号や落書きなどでも、通信する双方（あるいは多数間）で、模倣できるものであればよく、人類共通に親しみやすい操作ともなっていて、難しい通信確立手法の難易度を下げることが出来る。
【００８６】
また、本実施の形態１によれば、通信に自信がない人にも、やってみようかなという感じで使って貰える技術となる。つまり、利用者の前にある心理的なハードルを下げ、さらには使用促進さえ出来るようになっている。
【００８７】
なお、本実施の形態１では、設定部１８３および設定部３０３は、アイコンがタッチされた場合、このアイコンに対応付けられた英数字をパスワードとして設定情報記録部１５１または設定情報記録部２８１にそれぞれ記録させていたが、その都度、パスワードを記録させなくてもよい。この場合、設定部１８３または設定部３０３は、ユーザがタッチパネル１４をタッチしている間のみ、パスワードを設定してもよい。これにより、よりセキュリティーを高めることができる。
【００８８】
また、本実施の形態１では、画像化部１８２が画像化情報記録部１５３によって記録されている画像化情報を参照して、識別情報の英数字を所定の文字数毎に分割したグループ毎に画像パターンのアイコンを生成していたが、グループ内で構成される英数字の種類や文字に応じてアイコンの内容や種類を変更してもよい。たとえば、図７に示すように、画像化部１８２は、１列目の文字に応じて動物を設定し、２列目の文字で動物の表情を設定し、３列目の文字で耳や目の形状を設定することにより、アイコンＡ１１を生成するようにしてもよい。
【００８９】
また、本実施の形態１では、表示制御部１８６は、画像化部１８２が生成した全てのアイコンを表示部１３に表示させていたが、たとえば順次切り替えながらアイコンを表示部１３に表示させてもよい。具体的には、図８に示すように、表示制御部１８６は、アイコンＡ１→アイコンＡ２→アイコンＡ３→アイコンＡ４→アイコンＡ１の順に時間とともに切り替えて表示部１３に表示させてもよい。これにより、ユーザ間の契約でパスワードを決定することができるので、よりセキュリティーに優れる。
【００９０】
（実施の形態２）
つぎに、本発明の実施の形態２について説明する。本実施の形態２にかかる通信機器および携帯機器は、上述した実施の形態と同様の構成を有し、通信機器と携帯機器との間で無線通信を確立するための通信機器の識別情報、この識別情報に対応するパスワードの設定方法および処理が異なる。このため、以下においては、本実施の形態２にかかる通信機器および携帯機器が行う通信機器の識別情報およびパスワードの設定方法について説明後、本実施の形態２にかかる通信機器および携帯機器が実行する処理について説明する。なお、上述した実施の形態１と同一の構成には同一の符号を付して説明する。
【００９１】
図９Ａ〜図９Ｄは、本実施の形態２にかかる通信機器１の識別情報およびパスワードの設定方法を模式的に説明する図である。
【００９２】
図９Ａに示すように、ユーザは、タッチパネル１４を介して表示部１３が表示する１６ドット×１６ドットのマスに対して、所望のマスを選択して白黒（２ビット）の絵を作成する（図９Ａ→図９Ｂ）。この場合、表示制御部１８６は、タッチパネル１４から入力される位置信号に対応するマスＭ１を黒色で表示部１３に表示させる。さらに、画像化部１８２は、現在の画像パターンを記録部１５に記録する。なお、表示制御部１８６は、タッチパネル１４から入力される位置信号に対応するマスが黒色の場合、このマスを白色に反転して表示部１３に表示させる。
【００９３】
このように、ユーザは、好きな絵を描けばよいので、ユーザのこだわりや個性を反映でき、取得した方も、どの人と通信をしようとしているかが分かりやすい。また、状況に応じた画像を作成することができるので、セキュリティー上の工夫も出来る。極端な場合、サインのようなものは他の人が真似できないので、セキュリティー性が高くなり、単純な画像なら誰でも書けて、すぐに通信が確立できる。ここでは、説明を単純化して画素ごとに白黒切替える実施例を記載したが、ユーザが大きなサイズの絵（画像）を描いて、この絵に対して画像処理部１８１または画像化部１８２がデータ量をリサイズするリサイズ処理を行ってもよい。もちろん、撮影画像を白黒表示にして、この白黒の撮影画像を画像処理部１８１または画像化部１８２がリサイズ処理して所定の大きさの、たとえば図９に示すデータ量の大きさにすれば、ユーザがいちいち描画する必要はないので簡便となる。また、状況、または撮影画像に応じて異なるパターンにしてセキュリティー性を高めることが可能である。通信相手に応じて違う画像を利用してもよい。子供相手なら、動物の顔のような親しみ安いものにしてもよく、大人なら、その人の趣味に関連するような画像としても良い。
【００９４】
続いて、通信機器１は、入力部１２またはタッチパネル１４を介して画像パターンの作図を終了する終了信号が入力された場合、設定部１８３が現在の画像パターンに基づいて、通信機器１の識別情報を生成する。具体的には、図９Ｃに示すように、設定部１８３は、図９Ｂの２進法で表わされている矢印Ａの行を１６進法に変換することによって、１６桁から４桁（たとえば１０８８）に変換する。さらに、図９Ｄに示すように、設定部１８３は、ユーザがタッチパネル１４を介して選択した領域から上方向の８行を１６進法に変換することによって各行の１６桁を４桁に変換し、各行の文字を合算することにより、識別情報を計３２文字に設定する。さらにまた、設定部１８３は、ユーザがタッチパネル１４を介して選択した行を１６進法に変換した４桁の文字を携帯機器２と無線通信を確定するための識別情報に対応するパスワードに設定する。たとえば、設定部１８３は、ユーザがタッチパネル１４を介して図９Ｂの矢印Ａの列を選択した場合、通信機器１の識別情報に対応するパスワードとして１０８８を設定する。
【００９５】
上述した方法によって作成された画像パターンを用いて通信機器１および携帯機器２が実行する通信処理について説明する。図１０は、通信機器１および携帯機器２が実行する通信処理の概要を説明する図である。図１１は、図１０の状況を模式的に説明する図である。なお、図１０および図１１では、通信機器１が再生モードに設定され、携帯機器２が受信モードに設定されている場合について説明する。
【００９６】
図１０に示すように、通信機器１は、所定の無線通信規格に従って、携帯機器２と無線通信を行ってコンテンツデータを送信する場合、携帯機器２に対して通信機器１の識別情報を送信し、この識別情報に対応するパスワードを携帯機器２から受信したとき、携帯機器２と無線通信を確立してコンテンツデータを送信する。たとえば、図１０および図１１に示すように、通信機器１は、ユーザＯ１が表示部１３によって表示される画像パターンＰ１の所望の位置を選択することによって、通信機器１の識別情報を携帯機器２に送信する。この際、携帯機器２は、通信機器１の識別情報を受信し、この受信した識別情報を変換した画像パターンＰ２を表示部２６に表示する。その後、ユーザＯ１がユーザＯ２に対して、鼻と伝え、ユーザＯ２がタッチパネル２７を介して表示部２６が表示する画像パターンＰ２の指定された一部の鼻の部分を選択した場合、通信機器１は、携帯機器２から送信された鼻の列に対応付けられたパスワード（１００８）を受信し、このパスワードと設定部１８３が設定したパスワード（１００８）とが一致するとき、携帯機器２との間で無線通信を確立してコンテンツデータを送信する。
【００９７】
図１２は、通信機器１および携帯機器２が無線通信の確立を行う際の状況を説明する図である。
【００９８】
図１２に示すように、通信機器１は、表示制御部１８６が上述した方法によって作成され記録部１５に記録された画像パターンＰ１を表示部１３に表示させる（図１２（ａ））。
【００９９】
続いて、設定部１８３は、タッチパネル１４を介して表示部１３が表示する画像パターンＰ１の領域が選択された場合、この領域に対応する行の上方向の８列または下方向の８列に対応する文字を１６桁から４桁に変換し、各行の文字を合算して通信機器１の識別情報に設定するとともに、タッチした領域の行に対応する４桁を通信機器１の識別情報に対応するパスワードとして設定する（図１２（ｂ））。
【０１００】
その後、通信機器１は、携帯機器２に対して設定部１８３が設定した識別情報を送信する（図１２（ｃ））。この際、携帯機器２は、通信機器１から通信機器１の識別情報を受信し、この識別情報を変換した画像パターンＰ２を表示部２６に表示する。
【０１０１】
続いて、携帯機器２は、ユーザＯ２がタッチパネル２７を介して表示部２６が表示する画像パターンＰ２のいずれかの領域を選択した場合、この選択した領域に対応する行を４桁の文字列に変換し、この文字列をパスワードとして通信機器１に送信する（図１２（ｄ）→図１２（ｅ））。
【０１０２】
その後、通信機器１は、パスワード判定部１８４が携帯機器２から受信したパスワードと設定部１８３が設定したパスワードとが一致するか否かを判定し、送信制御部１８５はがパスワード判定部１８４によってパスワードが一致すると判定した場合、携帯機器２と無線通信を確立してコンテンツデータを送信する。
【０１０３】
このように、ユーザは、他の携帯機器２と無線通信を確立するための通信機器１の識別情報および識別状態に対応するパスワードを自由に作成することができ、簡易な操作で無線通信を確立することができるとともに、セキュリティーに優れる。
【０１０４】
つぎに、通信機器１が実行する処理の概要について説明する。図１３は、通信機器１が実行する処理の概要を説明するフローチャートである。なお、図１３に示すフローチャートは、携帯機器２も同様に行うことができる。
【０１０５】
ステップＳ２０１〜ステップＳ２１１は、図６のステップＳ１０１〜ステップＳ１１１にそれぞれ対応する。
【０１０６】
ステップＳ２１２において、表示制御部１８６は、記録部１５が記録するユーザによって作成された画像パターンを表示部１３に表示させる。
【０１０７】
続いて、通信機器制御部１８は、タッチパネル１４がタッチされたか否かを判断する（ステップＳ２１３）。タッチパネル１４がタッチされたと通信機器制御部１８が判断した場合（ステップＳ２１３：Ｙｅｓ）、通信機器１は、後述するステップＳ２１４へ移行する。これに対して、タッチパネル１４がタッチされていないと通信機器制御部１８が判断した場合（ステップＳ２１３：Ｎｏ）、通信機器１は、ステップＳ２０６へ移行する。
【０１０８】
ステップＳ２１４において、設定部１８３は、タッチパネル１４がタッチされた領域を含む行を中心に所定の８行の画像パターンに基づいて、通信機器１の識別情報およびタッチされた領域の行の画像パターンに基づいてパスワードをそれぞれ設定する。このタッチ位置の指示は、ユーザ間の口頭でのやり取りに従って任意に交渉、同意できるので、その状況に応じたセキュリティーレベルを設定することが出来る。また、相手に応じて、交渉がしやすいような画像を描いたり用意すれば、大人から子供まで選んだり交渉しやすかったりする工夫が出来る。単なる記号の羅列やテキストではなく、相手の個性に応じて判断しやすく分かりやすい表示にすればよい。
【０１０９】
続いて、送信制御部１８５は、所定の領域に位置する他の携帯機器２に対して、設定部１８３が設定した通信機器１の識別情報を送受信部１６に送信させる（ステップＳ２１５）。
【０１１０】
その後、携帯機器２からパスワードを受信した場合（ステップＳ２１６：Ｙｅｓ）、パスワード判定部１８４は、携帯機器２から受信したパスワードと設定部１８３が設定したパスワードとが一致するか否かを判定する（ステップＳ２１７）。携帯機器２から受信したパスワードと設定部１８３が設定したパスワードとが一致するとパスワード判定部１８４が判定した場合（ステップＳ２１７：Ｙｅｓ）、通信機器１は、ステップＳ２１８へ移行する。
【０１１１】
ステップＳ２１８において、送信制御部１８５は、コンテンツデータの携帯機器２への送信を送受信部１６に実行させる。その後、通信機器１は、ステップＳ２０６へ移行する。
【０１１２】
ステップＳ２１６において、携帯機器２からパスワードを受信していない場合（ステップＳ２１６：Ｎｏ）、ステップＳ２１７において、携帯機器２から受信したパスワードと設定部１８３が設定したパスワードとが一致しないとパスワード判定部１８４が判定した場合（ステップＳ２１７：Ｎｏ）、通信機器１は、ステップＳ２０６へ移行する。
【０１１３】
ステップＳ２１９およびステップＳ２２０は、図６のステップＳ１１９およびステップＳ１２０にそれぞれ対応する。
【０１１４】
ステップＳ２２０において、通信機器制御部１８は、携帯機器２から携帯機器２の識別情報を受信したか否かを判断する。携帯機器２から携帯機器２の識別情報を受信したと通信機器制御部１８が判断した場合（ステップＳ２２０：Ｙｅｓ）、通信機器１は、後述するステップＳ２２１へ移行する。これに対して、携帯機器２から携帯機器２の識別情報を受信していないと通信機器制御部１８が判断した場合（ステップＳ２２０：Ｎｏ）、通信機器１は、ステップＳ２０６へ移行する。
【０１１５】
ステップＳ２２１において、画像化部１８２は、携帯機器２から受信した携帯機器２の識別情報を変換して画像パターンを生成する。
【０１１６】
その後、表示制御部１８６は、画像化部１８２が生成した画像パターンを表示部１３に表示させる（ステップＳ２２２）。
【０１１７】
続いて、タッチパネル１４を介して表示部１３が表示する画像パターンの行が選択された場合（ステップＳ２２３：Ｙｅｓ）、設定部１８３は、選択された画像パターンに基づいて、パスワードを設定する（ステップＳ２２４）。
【０１１８】
その後、送信制御部１８５は、設定部１８３が設定したパスワードを携帯機器２へ送信する（ステップＳ２２５）。
【０１１９】
続いて、通信機器制御部１８は、携帯機器２からコンテンツデータを受信したか否かを判断する（ステップＳ２２６）。携帯機器２からコンテンツデータを受信したと通信機器制御部１８が判断した場合（ステップＳ２２６：Ｙｅｓ）、表示制御部１８６は、受信したコンテンツデータに対応する画像を表示部１３に表示させる（ステップＳ２２７）。その後、通信機器１は、ステップＳ２０６へ移行する。
【０１２０】
ステップＳ２２３において、タッチパネル１４を介して表示部１３が表示する画像パターンの行が選択されていない場合（ステップＳ２２３：Ｎｏ）、ステップＳ２２６において、携帯機器２からコンテンツデータを受信していないと通信機器制御部１８が判断した場合（ステップＳ２２６：Ｎｏ）、通信機器１は、ステップＳ２０６へ移行する。
【０１２１】
以上説明した本発明の実施の形態２によれば、他の携帯機器２と無線通信を確立するための通信機器１の識別情報および識別状態に対応するパスワードを自由に作成することができ、簡易な操作で無線通信を確立することができるとともに、セキュリティーに優れる。
【０１２２】
（実施の形態２の変形例）
つぎに、本発明の実施の形態２にかかる変形例について説明する。本実施の形態２の変形例２では、ユーザが作成した画像パターンをリサイズまたは削減し、このリサイズまたは削減した画像パターンをアスキーコードに変換することによって識別情報およびパスワードを文字で作成する。なお、実施の形態１と同一の構成には同一の符号を付して説明する。以下においては、説明を単純化して画素を削減する実施例を記載するが、画像処理部または画像化部のリサイズ処理を伴ってもよい。もちろん、撮影画像を白黒表示にして、リサイズ処理してこの大きさにすれば、ユーザがいちいち描画する必要はないので簡便となる。また、状況、または撮影画像に応じて異なるパターンにしてセキュリティー性を高めることが可能である。
【０１２３】
図１４Ａ〜図１４Ｃは、本実施の形態２の変形例にかかる通信機器１の識別情報およびパスワードの設定方法を模式的に説明する図である。
【０１２４】
図１４Ａに示すように、ユーザは、タッチパネル１４を介して表示部１３が表示する１６×１６ドットのマスに対して、所定のマスを選択し白黒（２ビット）の画像パターンを作成する（図１４Ａ）。この場合、設定部１８３は、中央から両サイドの６列（たとえばＬ１〜Ｌ６，Ｌ６〜Ｌ１２）をそれぞれグループ化し、このグループ化した各行の２進法で表わされる数値をアスキーコードに変換する。具体的には、図１４Ｂに示すように、設定部１８３は、図１４Ａの２進法で表わされている矢印Ｂの行のグループＧ１を、図１４Ｃのアスキーコード変換テーブルＴ１を参照してアスキーコードに変換する。たとえば、設定部１８３は、矢印Ｂの行のグループＧ１を「＿」に変換し、グループＧ２を「０」に変換する。設定部１８３は、図１４Ａ示す画像パターンの各行（１６行）を２つのアスキーコードに変換し、３２文字のアスキーコードの文字に変換して通信機器１の識別情報として設定する。
【０１２５】
このように、ユーザが作成した画像パターンのデータ数を削減して６列（６コマ）の２つのグループＧ１およびグループＧ２に分け、グループＧ１およびグループＧ２の各行（１６行×２）をアスキーコードに変換して３２文字にし、この３２文字を通信機器１の識別情報に設定する。これにより、他の携帯機器２と無線通信を確立するための通信機器１の識別情報および識別状態に対応するパスワードを自由に作成することができ、簡易な操作で無線通信を確立することができるとともに、セキュリティーに優れる。また、アスキーコードのような標準化された決まりを有効利用して、この通信確立方法普及を進めることが可能となる。
【０１２６】
つぎに、通信機器１が実行する処理の概要について説明する。図１５は、通信機器１が実行する処理の概要を示すフローチャートである。なお、図１５に示すフローチャートは、携帯機器２も同様に行うことができる。
【０１２７】
ステップＳ３０１〜ステップＳ３１１は、図６のステップＳ１０１〜ステップＳ１１１にそれぞれ対応する。
【０１２８】
ステップＳ３１２において、表示制御部１８６は、記録部１５が記録するユーザによって作成された画像パターンＰ３を表示部１３に表示させる。
【０１２９】
続いて、タッチパネル１４がタッチされた場合（ステップＳ３１３：Ｙｅｓ）、設定部１８３は、タッチパネル１４がタッチされた領域を含む行を中心に両サイドの６列の画像パターンに基づいて、通信機器１の識別情報を設定する（ステップＳ３１４）。
【０１３０】
その後、タッチパネル１４がタッチされた場合（ステップＳ３１５：Ｙｅｓ）、設定部１８３は、タッチパネル１４がタッチされた領域を含む行の画像パターンに基づいて、通信機器１のパスワードを設定する（ステップＳ３１６）。
【０１３１】
続いて、送信制御部１８５は、所定の領域に位置する他の携帯機器２に対して、設定部１８３が設定した識別情報を送受信部１６に送信させる（ステップＳ３１７）。
【０１３２】
その後、携帯機器２からパスワードを受信した場合（ステップＳ３１８：Ｙｅｓ）において、パスワード判定部１８４が携帯機器２から受信したパスワードと設定部１８３が設定したパスワードとが一致すると判定したとき（ステップＳ３１９：Ｙｅｓ）、送信制御部１８５は、コンテンツデータの携帯機器２への送信を送受信部１６に実行させる（ステップＳ３２０）。ステップＳ３２０の後、通信機器１は、ステップＳ３０６へ移行する。
【０１３３】
ステップＳ３１３においてタッチパネル１４がタッチされていない場合（ステップＳ３１３：Ｎｏ）、ステップＳ３１５においてタッチパネル１４がタッチされていない場合（ステップＳ３１５：Ｎｏ）、ステップＳ３１８において携帯機器２からパスワードを受信していない場合（ステップＳ３１８：Ｎｏ）、ステップＳ３１９においてパスワードが一致していない場合（ステップＳ３１９：Ｎｏ）、通信機器１は、ステップＳ３０６へ移行する。
【０１３４】
ステップＳ３２１およびステップＳ３２２は、図６のステップＳ１１９およびステップＳ１２０にそれぞれ対応する。
【０１３５】
ステップＳ３２３において、画像化部１８２は、携帯機器２から受信した携帯機器２の識別情報を変換して画像パターンを生成する。
【０１３６】
続いて、表示制御部１８６は、画像化部１８２が生成した画像パターンを表示部１３に表示させる（ステップＳ３２４）。
【０１３７】
その後、タッチパネル１４を介して表示部１３が表示する画像パターンの行が選択された場合（ステップＳ３２５：Ｙｅｓ）、設定部１８３は、選択された画像パターンの行に基づいて、パスワードを設定する（ステップＳ３２６）。
【０１３８】
続いて、送信制御部１８５は、設定部１８３が設定したパスワードを携帯機器２に送信する（ステップＳ３２７）。
【０１３９】
その後、携帯機器２からコンテンツデータを受信した場合（ステップＳ３２８：Ｙｅｓ）、表示制御部１８６は、コンテンツデータに対応する画像を表示部１３に表示させる（ステップＳ３２９）。ステップＳ３２９の後、通信機器１は、ステップＳ３０６へ移行する。
【０１４０】
ステップＳ３２５においてタッチパネル１４を介して表示部１３が表示する画像パターンの行が選択されていない場合（ステップＳ３２５：Ｎｏ）、ステップＳ３２８において携帯機器２からコンテンツデータを受信していない場合（ステップＳ３２８：Ｎｏ）、通信機器１は、ステップＳ３０６へ移行する。
【０１４１】
以上説明した本発明の実施の形態２の変形例によれば、他の携帯機器２と無線通信を確立するための通信機器１の識別情報および識別状態に対応するパスワードを自由に作成することができ、簡易な操作で無線通信を確立することができるとともに、セキュリティーに優れる。
【０１４２】
（その他の実施の形態）
また、本発明においては、全体を通じて、人と人が口頭で具体的に指示しやすい画像を使って、リアルなコミュニケーションに適した通信確立が可能となる。多くの機器では、意味のない記号の羅列やテキストの連続や、１や０の符号等を用いて通信の確立がなされるが、そのような抽象的なものではなく、より具体的に指示、指定可能な顔画像や動物画像、果物、トランプ記号のように誰にでも伝わりやすい画像（アイコン）、あるいは描画結果などを利用して、親しみ安く、単純かつセキュリティーに優れた通信確立が可能となる。ここで、実際に通信時に口頭で指示する言葉は、「トラ」とか「耳」とか単純明快な、かつそのままＩＤ化やパスワード化が不可能なテキスト以外の言葉であって、かつ、その言葉が画面上にそのまま表示されているわけではなく、トラを表わす画像、耳を表わす画像が表示されているので、人間同士のコミュニケーションしだいでセキュリティーレベルを調整することが可能である。例えば、書かれているものや入力するものを読上げるような手間暇をかけず、そのままＩＤ化やパスワード化が不可能な画像が使われているので、セキュリティー上のリスクをおかさずに済む。さらに、実際に撮影した写真から単純化した画像を応用して利用してもよく、それをデフォルメした画像を利用しても良い。また、複数の記号やテキストを一つの画像に集約したりできるので、一つの画像の選択で、多くの情報を含ませて、情報量を増やし、セキュリティー性を高めることも可能である。複数の画像や複数の部分からなる画像を利用しているので、そのうちの一つや一部分を選択するような設定によっても、セキュリティー性を高めることが可能となる。文字列や符号の連なりではなく、キャラクター画像、アイコン画像、マンガ画像、カートン、デッサン、ポンチ絵など、親しみやすく、口頭で具体的に指定しやすい画像を有効利用して、通信時の難易度を低くして、心理的障壁を下げることが可能である。識別情報やパスワードを構成する文字などを特定の決まりで変換した画像パターンであれば、もちろん、パスワードやＩＤを構成する文字列を、複数集めて、改めて文字やテキストを表わす画像に変換したものでもよい。すなわち、実際に通信規格上で使用されるＩＤやパスワードそのものではなく、それを変換したり、複数集めて代表する画像、アイコンおよび動作のいずれかに置き換えたものであればよい。
【０１４３】
また、本発明においては、送受信部を介してコンテンツデータおよび設定情報を双方向に送受信していたが、通信機器および携帯機器それぞれにインターネットと接続可能な通信部を設け、ネットワークを介してコンテンツデータおよび設定情報を双方向に送受信を行ってもよい。さらに、ネットワーク上のサーバを介してコンテンツデータおよび設定情報を双方向に送受信を行ってもよい。
【０１４４】
また、本発明においては、撮像部が１つの筐体に設けられたデジタルカメラを例に説明したが、レンズ部が着脱自在なレンズ装置と本体部とで構成されたデジタル一眼レフカメラであっても適用することができる。
【０１４５】
また、本発明にかかる通信機器は、デジタルカメラ以外にも、例えばアクセサリ等を装着可能なデジタルカメラ、デジタルビデオカメラおよび撮影機能を有する携帯電話やタブレット型携帯機器等の電子機器にも適用することができる。
【０１４６】
本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１４７】
このように、本発明は、ここでは記載していない様々な実施の形態を含みうるものであり、特許請求の範囲によって特定される技術的思想の範囲内で種々の設計変更等を行うことが可能である。
【符号の説明】
【０１４８】
１  通信機器
２  携帯機器
１１，２１  撮像部
１２，２５  入力部
１３，２６  表示部
１４，２７  タッチパネル
１５，２８  記録部
１６，２２  送受信部
１７，２３  音声入出力部
１８  通信機器制御部
２４  地磁気検出部
２９  通信部
３０  携帯制御部
１５１，２８１  設定情報記録部
１５２，２８２  コンテンツ情報記録部
１５３，２８３  画像化情報記録部
１８１，３０１  画像処理部
１８２，３０２  画像化部
１８３，３０３  設定部
１８４，３０４  パスワード判定部
１８５，３０５  送信制御部
１８６，３０６  表示制御部
【図１】
0005940329.tif 000002
【図２】
0005940329.tif 000003
【図３】
0005940329.tif 000004
【図４】
0005940329.tif 000005
【図５】
0005940329.tif 000006
【図６】
0005940329.tif 000007
【図７】
0005940329.tif 000008
【図８】
0005940329.tif 000009
【図９Ａ】
0005940329.tif 000010
【図９Ｂ】
0005940329.tif 000011
【図９Ｃ】
0005940329.tif 000012
【図９Ｄ】
0005940329.tif 000013
【図１０】
0005940329.tif 000014
【図１１】
0005940329.tif 000015
【図１２】
0005940329.tif 000016
【図１３】
0005940329.tif 000017
【図１４Ａ】
0005940329.tif 000018
【図１４Ｂ】
0005940329.tif 000019
【図１４Ｃ】
0005940329.tif 000020
【図１５】
0005940329.tif 000021